【手続補正書】
【提出日】平成23年10月13日(2011.10.13)
【手続補正１】
【補正対象書類名】特許請求の範囲
【補正対象項目名】全文
【補正方法】変更
【補正の内容】
【特許請求の範囲】
【請求項１】
椎体置換デバイスに使用する底板部材であって、該底板部材は、
端面であって、該椎体置換デバイスが脊柱内に移植されると、該端面は骨面を係合するように構成されている、端面と、
該端面に接続された噛み合い面であって、該噛み合い面は、調節機構を有するように構成され、該調節機構は、該椎体置換デバイスの端部材に対して、該底板部材の該位置付けを容易にする、噛み合い面と、
ロック機構であって、該ロック機構は、該椎体置換デバイスの該脊柱内への移植の前に、該底板部材を該端部材に結合するように構成されている、ロック機構と
を備える、底板部材。
【請求項２】
前記ロック機構は、止めねじおよび開口部を含み、該止めねじは前記底板部材内の孔を通り過ぎて、端部材内に配置された開口部に受け入れられるように構成されており、該止めねじは、該開口部に螺合された場合、該底板部材を該端部材固く結合する、請求項１に記載の底板部材。
【請求項３】
前記調節機構は、複数のタブおよび対応する整列スロットを含み、該複数のタブは、前記端部材に配置されており、該対応する整列スロットは、前記底板部材の前記噛み合い面に沿って配置されており、各整列スロットは、該複数のタブのうちの１つと噛み合うようにサイズ決定され、それによって、該底板部材を該端部材に対して、ある位置に配向する、請求項１に記載の底板部材。
【請求項４】
前記端面は、複数の突起を含み、該複数の突起の各々は、該端面から離れるように延在しており、それによって、前記椎体置換デバイスが移植されると、前記底板部材を隣接する椎体に対して係合し固定する、請求項１に記載の底板部材。
【請求項５】
前記底板部材の前記端面は、前記噛み合い面に対して、実質的に直角あるいは角度をなして配向されている、請求項１に記載の底板部材。
【請求項６】
前記端面の外側輪郭は、多角形状、非円形状および円形のうちの少なくとも１つであり、該端面の該外側輪郭の該形状は、前記椎体置換デバイスの前記脊柱内への移植の後に、隣接する椎体の形状に対応するように選択されている、請求項１に記載の底板部材。
【請求項７】
前記底板部材の前記端面は、複数の表面特徴を有しており、該表面特徴はミクロンサイズあるいはナノサイズの表面特徴である、請求項１に記載の底板部材。
【請求項８】
前記底板部材の前記端面は、前記椎体置換デバイスの脊柱内への移植後に、隣接する椎体への該端面の生物学的内部成長を促進する物質で構成され、被覆されている、請求項１に記載の底板部材。
【請求項９】
椎体置換デバイスを組み立てる方法であって、該方法は、
本体部材を取得することであって、該本体部材は、内壁および外壁を有し、第１の端容器、第２の端容器および、該第１の端容器と該第２の端容器との間に延在する縦軸を含む、細長い本体である、ことと、
第１のねじ山部、第２のねじ山部および、それらの間に延在する中心軸を有する中心ロッド部材を取得することであって、該中心ロッド部材は、該本体部材に動作可能に関連するように構成されている、ことと、
第１の端部材および第２の端部材を取得することであって、該第１の端部材は、該中心ロッド部材が該本体部材に動作可能に関連するとき、該本体部材の該第１の端容器内に配置されて、該中心ロッド部材の該第１のねじ山部を螺合し、該第２の端部材は、該中心ロッド部材が該本体部材に動作可能に関連するとき、該本体部材の該第２の端容器内に配置されて、該中心ロッド部材の該第２のねじ山部を螺合する、ことと、
少なくとも１つの底板部材を取得することであって、該少なくとも１つの底板部材は、
端面であって、該椎体置換デバイスが脊柱内に移植されると、該端面は骨構造を係合するように構成されている、端面と、
該端面に接続された噛み合い面であって、該噛み合い面は、調節機構を有するように構成され、該調節機構は、該第１の端部材と該第２の端部材のうちの少なくとも１つに対する、少なくとも１つの底板部材の位置付けを容易にする、噛み合い面と、
ロック機構であって、該ロック機構は、該少なくとも１つの底板部材を、該第１の端部材と該第２の端部材のうちの少なくとも１つに結合するように構成されており、それによって、該底板がモジュール式であることを可能にする、ロック機構と
を含む、ことと、
該中心ロッド部材を該本体部材の中間チャンバ内に配置し、該中心ロッド部材を該本体部材に動作可能に関連させることと、
該中央ロッド部材の該第１のねじ山部を該第１の端部材に螺合し、該中央ロッド部材の該第２のねじ山部を該第２の端部材に螺合することと、
該ロック機構を採用して、該椎体置換デバイスを脊柱内に移植する前に、少なくとも１つの底板部材を該第１の端部材と該第２の端部材のうちの少なくとも１つに接続することと
を含む、方法。
【請求項１０】
前記少なくとも１つの底板部材を取得することは、前記調節機構かつ複数のタブおよび対応する整列スロットを含むことをさらに含み、該複数のタブは、前記第１の端部材と前記第２の端部材の各々の端壁に配置されており、該対応する整列スロットは、該底板部材の前記噛み合い面に沿って位置決めされており、各整列スロットは、該複数のタブのうちの１つと噛み合うようにサイズ決定されており、それによって、前記椎体置換デバイスの移植に続いて、該第１の端部材と該第２の端部材とのうちの少なくとも１つの該端壁、および、椎体に対して、該底板部材をある位置に配向する、請求項９に記載の方法。
【請求項１１】
前記少なくとも１つの底板部材の前記端面は、前記噛み合い面に対して、実質的に直角あるいは角度をなすように配向されている、請求項９に記載の方法。
【請求項１２】
前記少なくとも１つの底板部材の前記端面の外側輪郭は、多角形状、非円形状および円形のうちの少なくとも１つであり、該端面の該外側輪郭の該形状は、前記椎体置換デバイスの前記脊柱内への移植後に、隣接する椎体の形状に対応するように選択されている、請求項９に記載の方法。
【請求項１３】
前記少なくとも１つの底板部材の前記端面は、複数の表面特徴を有し、ミクロンサイズあるいはナノサイズである複数の該表面特徴を有している、請求項９に記載の方法。
【請求項１４】
前記少なくとも１つの底板部材の前記端面は、前記椎体置換デバイスの脊柱内への移植後に、隣接する椎体との前記端面の生物学的内部成長を促進する物質で構成され、被覆される、請求項９に記載の方法。
【請求項１５】
支持リングを取得することをさらに含み、該支持リングは座面を有し、前記本体部材の前記内壁を螺合するように構成されており、それによって、前記中心ロッド部材が、該本体部材内に動作可能に位置付けされる場合、該座面が該中心ロッド部材に接触することを可能にする、請求項９に記載の方法。
【請求項１６】
前記中心ロッド部材を取得することは、該歯車部が、歯の付いた表面および支持面を有することをさらに含み、該歯車部の該支持面は、該中心ロッド部材が、前記本体部材内に動作可能に位置付けされる場合、前記支持リングの前記座面に接触するように構成されている、請求項１５に記載の方法。
【請求項１７】
前記中心ロッド部材は、該中心ロッド部材の前記第１のねじ山部と前記第２のねじ山部との間に延在する中心軸を含み、前記歯車部の回転軸は、該中心ロッド部材の該中心軸に実質的に同軸であり、それによって、該歯車部が該回転軸の周りに回転させられるとき、該第１のねじ山部および第２のねじ山部は、該中心ロッド部材の該中心軸の周りに対応して回転する、請求項１６に記載の方法。
【請求項１８】
椎体置換デバイスにおいて少なくとも１つの底板部材を使用する方法であって、該方法は、
椎体置換デバイスを取得することであって、該椎体置換デバイスは、本体部材と、第１のねじ山部および第２のねじ山部を有する中心ロッド部材とを含み、該中心ロッド部材は、該本体部材と第１の端部材と第２の端部材との中に動作可能に関連されるように構成されており、該第１の端部材は、該中心ロッド部材の該第１のねじ山部を螺合するように構成されており、該第２の端部材は、該中心ロッド部材の該第２のねじ山部を螺合するように構成されている、ことと、
少なくとも１つの底板部材を取得することであって、該少なくとも１つの底板部材は、端面と、該端面に接続された噛み合い面と、ロック機構とを含み、該噛み合い面は、調節機構を有するように構成され、該調節機構は、該第１の端部材と該第２の端部材のうちの少なくとも１つに対する、該少なくとも１つの底板部材の位置付けを容易にし、該ロック機構は該少なくとも１つの底板部材を該第１の端部材と該第２の端部材のうちの少なくとも１つに結合するように構成されている、ことと、
該少なくとも１つの底板部材を該第１の端部材と該第２の端部材のうちの少なくとも１つに結合することであって、該ロック機構は該少なくとも１つの底板部材を該第１の端部材と該第２の端部材のうちの少なくとも１つに固く接続する、ことと
を含む、方法。
【手続補正２】
【補正対象書類名】明細書
【補正対象項目名】０００８
【補正方法】変更
【補正の内容】
【０００８】
さらに、本発明の技術を通して、さらなる特徴および利点が実現される。本発明の別の実施形態および側面が、本明細書に詳細に記載され、請求される発明の一部であると見なされる。
例えば、本発明は以下の項目を提供する。
（項目１）
椎体置換デバイスに使用する底板部材であって、該底板部材は、
端面であって、該椎体置換デバイスが脊柱内に移植されると、該端面は骨面を係合するように構成されている、端面と、
該端面に接続された噛み合い面であって、該噛み合い面は、調節機構を有するように構成され、該調節機構は、該椎体置換デバイスの端部材に対して、該底板部材の該位置付けを容易にする、噛み合い面と、
ロック機構であって、該ロック機構は、該椎体置換デバイスの該脊柱内への移植の前に、該底板部材を該端部材に結合するように構成されている、ロック機構と
を備える、底板部材。
（項目２）
上記ロック機構は、止めねじおよび開口部を含み、該止めねじは上記底板部材内の孔を通り過ぎて、端部材内に配置された開口部に受け入れられるように構成されており、該止めねじは、該開口部に螺合された場合、該底板部材を該端部材固く結合する、項目１に記載の底板部材。
（項目３）
上記調節機構は、複数のタブおよび対応する整列スロットを含み、該複数のタブは、上記端部材に配置されており、該対応する整列スロットは、上記底板部材の上記噛み合い面に沿って配置されており、各整列スロットは、該複数のタブのうちの１つと噛み合うようにサイズ決定され、それによって、該底板部材を該端部材に対して、ある位置に配向する、項目１に記載の底板部材。
（項目４）
上記端面は、複数の突起を含み、該複数の突起の各々は、該端面から離れるように延在しており、それによって、上記椎体置換デバイスが移植されると、上記底板部材を隣接する椎体に対して係合し固定する、項目１に記載の底板部材。
（項目５）
上記底板部材の上記端面は、上記噛み合い面に対して、実質的に直角あるいは角度をなして配向されている、項目１に記載の底板部材。
（項目６）
上記端面の外側輪郭は、多角形状、非円形状および円形のうちの少なくとも１つであり、該端面の該外側輪郭の該形状は、上記椎体置換デバイスの上記脊柱内への移植の後に、隣接する椎体の形状に対応するように選択されている、項目１に記載の底板部材。
（項目７）
上記底板部材の上記端面は、複数の表面特徴を有しており、該表面特徴はミクロンサイズあるいはナノサイズの表面特徴である、項目１に記載の底板部材。
（項目８）
上記底板部材の上記端面は、上記椎体置換デバイスの脊柱内への移植後に、隣接する椎体への該端面の生物学的内部成長を促進する物質で構成され、被覆されている、項目１に記載の底板部材。
（項目９）
椎体置換デバイスを組み立てる方法であって、該方法は、
本体部材を取得することであって、該本体部材は、内壁および外壁を有し、第１の端容器、第２の端容器および、該第１の端容器と該第２の端容器との間に延在する縦軸を含む、細長い本体である、ことと、
第１のねじ山部、第２のねじ山部および、それらの間に延在する中心軸を有する中心ロッド部材を取得することであって、該中心ロッド部材は、該本体部材に動作可能に関連するように構成されている、ことと、
第１の端部材および第２の端部材を取得することであって、該第１の端部材は、該中心ロッド部材が該本体部材に動作可能に関連するとき、該本体部材の該第１の端容器内に配置されて、該中心ロッド部材の該第１のねじ山部を螺合し、該第２の端部材は、該中心ロッド部材が該本体部材に動作可能に関連するとき、該本体部材の該第２の端容器内に配置されて、該中心ロッド部材の該第２のねじ山部を螺合する、ことと、
少なくとも１つの底板部材を取得することであって、該少なくとも１つの底板部材は、
端面であって、該椎体置換デバイスが脊柱内に移植されると、該端面は骨構造を係合するように構成されている、端面と、
該端面に接続された噛み合い面であって、該噛み合い面は、調節機構を有するように構成され、該調節機構は、該第１の端部材と該第２の端部材のうちの少なくとも１つに対する、少なくとも１つの底板部材の位置付けを容易にする、噛み合い面と、
ロック機構であって、該ロック機構は、該少なくとも１つの底板部材を、該第１の端部材と該第２の端部材のうちの少なくとも１つに結合するように構成されており、それによって、該底板がモジュール式であることを可能にする、ロック機構と
を含む、ことと、
該中心ロッド部材を該本体部材の中間チャンバ内に配置し、該中心ロッド部材を該本体部材に動作可能に関連させることと、
該中央ロッド部材の該第１のねじ山部を該第１の端部材に螺合し、該中央ロッド部材の該第２のねじ山部を該第２の端部材に螺合することと、
該ロック機構を採用して、該椎体置換デバイスを脊柱内に移植する前に、少なくとも１つの底板部材を該第１の端部材と該第２の端部材のうちの少なくとも１つに接続することと
を含む、方法。
（項目１０）
上記少なくとも１つの底板部材を取得することは、上記調節機構かつ複数のタブおよび対応する整列スロットを含むことをさらに含み、該複数のタブは、上記第１の端部材と上記第２の端部材の各々の端壁に配置されており、該対応する整列スロットは、該底板部材の上記噛み合い面に沿って位置決めされており、各整列スロットは、該複数のタブのうちの１つと噛み合うようにサイズ決定されており、それによって、上記椎体置換デバイスの移植に続いて、該第１の端部材と該第２の端部材とのうちの少なくとも１つの該端壁、および、椎体に対して、該底板部材をある位置に配向する、項目９に記載の方法。
（項目１１）
上記少なくとも１つの底板部材の上記端面は、上記噛み合い面に対して、実質的に直角あるいは角度をなすように配向されている、項目９に記載の方法。
（項目１２）
上記少なくとも１つの底板部材の上記端面の外側輪郭は、多角形状、非円形状および円形のうちの少なくとも１つであり、該端面の該外側輪郭の該形状は、上記椎体置換デバイスの上記脊柱内への移植後に、隣接する椎体の形状に対応するように選択されている、項目９に記載の方法。
（項目１３）
上記少なくとも１つの底板部材の上記端面は、複数の表面特徴を有し、ミクロンサイズあるいはナノサイズである複数の該表面特徴を有している、項目９に記載の方法。
（項目１４）
上記少なくとも１つの底板部材の上記端面は、上記椎体置換デバイスの脊柱内への移植後に、隣接する椎体との上記端面の生物学的内部成長を促進する物質で構成され、被覆される、項目９に記載の方法。
（項目１５）
支持リングを取得することをさらに含み、該支持リングは座面を有し、上記本体部材の上記内壁を螺合するように構成されており、それによって、上記中心ロッド部材が、該本体部材内に動作可能に位置付けされる場合、該座面が該中心ロッド部材に接触することを可能にする、項目９に記載の方法。
（項目１６）
上記中心ロッド部材を取得することは、該歯車部が、歯の付いた表面および支持面を有することをさらに含み、該歯車部の該支持面は、該中心ロッド部材が、上記本体部材内に動作可能に位置付けされる場合、上記支持リングの上記座面に接触するように構成されている、項目１５に記載の方法。
（項目１７）
上記中心ロッド部材は、該中心ロッド部材の上記第１のねじ山部と上記第２のねじ山部との間に延在する中心軸を含み、上記歯車部の回転軸は、該中心ロッド部材の該中心軸に実質的に同軸であり、それによって、該歯車部が該回転軸の周りに回転させられるとき、該第１のねじ山部および第２のねじ山部は、該中心ロッド部材の該中心軸の周りに対応して回転する、項目１６に記載の方法。
（項目１８）
椎体置換デバイスにおいて少なくとも１つの底板部材を使用する方法であって、該方法は、
椎体置換デバイスを取得することであって、該椎体置換デバイスは、本体部材と、第１のねじ山部および第２のねじ山部を有する中心ロッド部材とを含み、該中心ロッド部材は、該本体部材と第１の端部材と第２の端部材との中に動作可能に関連されるように構成されており、該第１の端部材は、該中心ロッド部材の該第１のねじ山部を螺合するように構成されており、該第２の端部材は、該中心ロッド部材の該第２のねじ山部を螺合するように構成されている、ことと、
少なくとも１つの底板部材を取得することであって、該少なくとも１つの底板部材は、端面と、該端面に接続された噛み合い面と、ロック機構とを含み、該噛み合い面は、調節機構を有するように構成され、該調節機構は、該第１の端部材と該第２の端部材のうちの少なくとも１つに対する、該少なくとも１つの底板部材の位置付けを容易にし、該ロック機構は該少なくとも１つの底板部材を該第１の端部材と該第２の端部材のうちの少なくとも１つに結合するように構成されている、ことと、
該少なくとも１つの底板部材を該第１の端部材と該第２の端部材のうちの少なくとも１つに結合することであって、該ロック機構は該少なくとも１つの底板部材を該第１の端部材と該第２の端部材のうちの少なくとも１つに固く接続する、ことと
を含む、方法。
（項目１９）
患者の脊柱内に空間を外科的に配置し、露出することをさらに含む、項目１８に記載の方法。
（項目２０）
上記患者の上記脊柱内の上記露出された空間のサイズを決定することをさらに含む、項目１９に記載の方法。
（項目２１）
上記脊柱内の上記露出された空間にサイズ的に対応する椎体置換デバイスを選択することをさらに含む、項目２０に記載の方法。
（項目２２）
上記椎体置換デバイスおよび結合された少なくとも１つの底板部材を、上記脊柱内の上記露出された空間に挿入することさらに含む、項目２１に記載の方法。
（項目２３）
上記中心ロッド部材を回転作動して、上記第１の端部材と上記第２の端部材のうちの少なくとも１つに結合された上記少なくとも１つの底板部材を、上記本体部材に対して軸方向に動かすことをさらに含み、それによって、該少なくとも１つの底板部材が、２つの椎体に力を付与して、上記空間を患者の上記脊柱内に維持する結果をもたらす、項目２４に記載の方法。